(57)【要約】【課題】伝送特性に優れた簡易な構成の同軸コネクタを提供する。【解決手段】同軸コネクタ１０は、同軸ケーブルＣｂの端末に接続したジャック１と、ジャック１を導入できる端子収容室２ｒを内部に有するロックアーム２ａ付きの外部ハウジング２と、ジャック１を端子収容室２ｒの内部に係止するリテーナ３と、備え、ジャック１は、外部コンタクト１４の外周方向に突出した輪帯１４３を有する。外部ハウジング２は、端子収容室２ｒの内部に挿入した輪帯１４３を抜け止めするハウジングランス２１を有する。リテーナ３は、外部ハウジング２の係止穴２ｈ・２ｈに挿入自在に二股に分岐した一対の係止爪片３ｄ・３ｄを有する。係止爪片３ｄは、輪帯１４３を抜け止めする係止片３１ｄを有する。【選択図】図２
2019153464.tif 000002
【特許請求の範囲】
【請求項１】
中心導体、この中心導体を包囲する誘電体、この誘電体を覆う外部導体、及び、この外部導体を被覆する絶縁シースを有する同軸ケーブルの端末に接続した円筒状の端子組立体と、
前記端子組立体を導入できる端子収容室を内部に有し、相手側外部ハウジングに係止自在なロックアームを有する外部ハウジングと、
前記端子組立体を前記端子収容室の内部に係止するリテーナと、備え、
前記端子組立体は、
前記絶縁シースを剥離した同軸ケーブルの端末を内部に導入し、前記外部導体を圧着した金属スリーブと、
前記中心導体を基端部に接続した中心コンタクトと、
前記中心コンタクトを中心部に保持した円筒状のインシュレータと、
前記インシュレータを内部に保持した円筒状の外部コンタクトと、を有し、
前記外部コンタクトは、
基端部側に形成し、前記外部導体と接続自在な外部導体接続部と、
先端部側に形成し、相手側外部コンタクトと接続自在なコンタクト接続部と、
中間部に形成し、外周方向に突出した方形の輪帯と、を有し、
前記外部ハウジングは、
前記端子収容室の奥壁に当接した前記輪帯を抜け止めするハウジングランスと、
前記端子収容室に連通し、一方の面から他方の面に向けて貫通した一対の係止穴と、を有し、
前記リテーナは、前記係止穴に挿入自在に二股に分岐した一対の係止爪片を有し、
前記係止爪片は、前記リテーナを外部ハウジングに装着した状態で、前記輪帯の他方の面に当接して前記輪帯を抜け止めする係止片を有している、同軸コネクタ。
【請求項２】
前記外部コンタクトは、前記外部導体接続部が前記外部導体と前記誘電体の間に挿入されている、請求項１記載の同軸コネクタ。
【請求項３】
前記コンタクト接続部は、一つ以上の切り込みを外周に切り欠いたオープンエントリからなる、請求項１又２記載の同軸コネクタ。
【発明の詳細な説明】
【技術分野】
【０００１】
本発明は、同軸コネクタに関する。特に、同軸ケーブルの端末に接続した円筒状のジャックなどの端子組立体、端子組立体を内部に導入自在な外部ハウジング、及び、端子組立体を外部ハウジングの内部に係止するリテーナを備えた同軸コネクタの構造に関する。
【背景技術】
【０００２】
一方の同軸ケーブルの端末に固定した一方の端子組立体（例えば、ジャック）と、他方の同軸ケーブルの端末に固定し他方の端子組立体（例えば、プラグ）を接続することで、高周波信号を一方の同軸ケーブルから他方の同軸ケーブルに伝送できる。又は、高周波信号を他方の同軸ケーブルから一方の同軸ケーブルに伝送できる。
【０００３】
一般に、同軸ケーブルは、円形の中心導体、中心導体の周囲を囲うフッ素系樹脂などの誘電体、誘電体の周囲を囲う編組線などの外部導体、及び、外部導体を被覆保護する絶縁シースで構成している。
【０００４】
例えば、従来のプラグなどの端子組立体は、円筒状の外部コンタクトと中心コンタクトを備えている。外部コンタクトと中心コンタクトの間には、インシュレータが介在されている。外部コンタクトは、その一端部側に圧着部を有している。又、外部コンタクトは、インシュレータを介して、他端部側に中心コンタクトを同軸上に配置している。
【０００５】
誘電体の周囲を囲う編組線などの外部導体を絶縁シースの周囲に折り返した状態で、つまり、同軸ケーブルを端末処理した状態で、絶縁シースの外部から外部導体を外部コンタクトの圧着部を圧着することで、外部コンタクトと外部導体を電気的に接続できると共に、同軸ケーブルの端末に端子組立体を固定できる。
【０００６】
前述した同軸ケーブルを端末処理は、同軸ケーブルの端面から絶縁シースを所定の長さで剥離する「絶縁シース剥離工程」と、Ｕ字状に開口した金属スリーブを外部導体に圧着する「金属スリーブ圧着工程」と、を含んでいる。
【０００７】
更に、同軸ケーブルを端末処理は、外部導体を金属スリーブに折り返す「編組折り返し工程」と、折り返した外部導体の端面から誘電体を所定の長さで剥離する「誘電体剥離工程」と、誘電体の端面から中心導体を所定の長さで剥離する「中心導体剥離工程」と、を含んでいる。
【０００８】
このように端末処理した同軸ケーブルの中心導体に、中心コンタクトを接続すると共に、外部コンタクトの基端部を金属スリーブに圧着することで、プラグなどの端子組立体を同軸ケーブルの端末に固定した状態で接続できる。
【０００９】
しかし、「誘電体剥離工程」において、誘電体の長さにバラツキ（偏差）があると、折り返した外部導体の端面と外部コンタクトの対向壁間の空気層にバラツキ（偏差）が生じ、安定した高周波特性（ＶＳＷＲ）を得ることが困難になるという不具合があった。
【００１０】
従来のプラグなどの端子組立体は、このような不具合があったことから、誘電体の剥離長さに偏差がある場合においても、安定した高周波特性（ＶＳＷＲ）を発揮できる同軸コネクタが開示されている（例えば、特許文献１参照）。
【００１１】
又、同軸ケーブルの引っ張り強度を向上でき、かつ、同軸ケーブルのインピーダンスが低下することを抑制できる同軸コネクタが開示されている（例えば、特許文献２参照）。
【先行技術文献】
【特許文献】
【００１２】
【特許文献１】特開２０１８−６２５３号公報
【特許文献２】特開２０１７−９８００２号公報
【発明の概要】
【発明が解決しようとする課題】
【００１３】
図７は、第１の従来技術による同軸コネクタの構成を示す斜視図であり、同軸コネクタの中心を通る縦断面図で示している。なお、本願の図７は、特許文献１の図１に相当している。
【００１４】
図７を参照すると、第１の従来技術による同軸コネクタ（以下、プラグという）８は、導電性を有する筒状の外部コンタクト８１と中心コンタクト８２を備えている。又、プラグ８は、円筒状のインシュレータ（絶縁体）８３と導電性を有する筒状のインナ―スリーブ８４を備えている。
【００１５】
図７を参照すると、同軸ケーブルＣｂは、単線又は撚線からなる円形の中心導体Ｗｃ、中心導体Ｗｃの周囲を囲うフッ素系樹脂などの誘電体Ｄｉ、誘電体Ｄｉの周囲を囲う編組線などの外部導体Ｗｂ、及び、外部導体Ｗｂを被覆保護する絶縁シースＷｉで構成している。図７を参照して、同軸ケーブルＣｂは、各構成部材がそれらの端末から所定の剥離長で予め剥離されている。つまり、同軸ケーブルＣｂは、端末処理されている。
【００１６】
図７を参照すると、外部コンタクト８１は、本体部８１ｂと圧着部８１ｃを有している。圧着部８１ｃは、本体部８１ｂの基端部に連続して形成している。又、圧着部８１ｃは、圧着前にＵ字状に開口したコンダクタバレル８１１と圧着前にＵ字状に開口したインシュレーションバレル８１２を連続して形成している。
【００１７】
図７を参照すると、同軸ケーブルＣｂは、誘電体Ｄｉの周囲を囲う外部導体Ｗｂに金属スリーブＳｖを圧着している。又、金属スリーブＳｖは、折り返された外部導体Ｗｂに覆われている。コンダクタバレル８１１は、誘電体Ｄｉを介して、金属スリーブＳｖ及び外部導体Ｗｂを圧着している。インシュレーションバレル８１２は、絶縁シースＷｉを圧着している。これにより、外部コンタクト８１は、外部導体Ｗｂに導通できると共に、同軸ケーブルＣｂは、その端末にプラグ８を固定できる。
【００１８】
図７を参照すると、中心コンタクト８２は、圧着部８２１を基端部に有している。圧着部８２１を中心導体Ｗｃに圧着することで、中心コンタクト８２の基端部を中心導体Ｗｃに固定できる。中心コンタクト８２は、インシュレータ８３の内部に嵌合できる。又、中心コンタクト８２は、図示しない相手側中心コンタクトと嵌合自在なピンコンタクト８２２を先端部に形成している。
【００１９】
図７を参照すると、インシュレータ８３は、外部コンタクト８１の本体部８１ｂの内部に嵌め込まれている。インシュレータ８３は、外部コンタクト８１と中心コンタクト８２を電気的に絶縁している。
【００２０】
図７を参照すると、インナ―スリーブ８４は、その本体がインシュレータ８３に外装されていると共に、外部コンタクト８１と導通可能に配置されている。又、インナ―スリーブ８４は、折り返した外部導体Ｗｂの端面に接触する伸縮自在な複数の接触片８４ｂを基端部に形成している。
【００２１】
図７を参照すると、誘電体Ｄｉは、インシュレータ８３の基端部に開口した段付穴に挿入されている。「誘電体剥離工程」において、誘電体Ｄｉの長さに偏差があると、折り返した外部導体Ｗｂの端面と外部コンタクト８１の対向壁間の空気層に偏差が生じるが、接触片８４ｂが折り返した外部導体Ｗｂの端面に接触しているので、第１の従来技術によるプラグ８は、安定した高周波特性（ＶＳＷＲ）を発揮できる、としている。
【００２２】
図７を参照すると、外部コンタクト８１は、略方形の第１輪帯Ｂ１、第２輪帯Ｂ２、及び、第３輪帯Ｂ３を外周方向に突出している。特許文献１の記載によれば、第１輪帯Ｂ１は、プラグ８を図示しない外部ハウジングに挿入した時に、外部ハウジングに対してプラグ８の軸ずれを防止するためのものであるとしている。第２輪帯Ｂ２及び第３輪帯Ｂ３の機能は、特許文献１には開示されていないが、外部コンタクト８１の剛性を補強するためと推測される。
【００２３】
しかし、図７を参照すると、第１輪帯Ｂ１、第２輪帯Ｂ２、及び、第３輪帯Ｂ３の内部は、空洞を有しているので、外部導体Ｗｂからインナ―スリーブ８４に至る伝送経路上に、比誘電率の小さい空気層が断続して配置されるので、伝送特性に良くない影響を与える心配がある。又、輪帯を数多く外部コンタクト８１に形成することで、外部コンタクト８１の成形が容易でなく、外部コンタクト８１の製造原価を引き上げる要因になる。
【００２４】
外部コンタクト８１の外周に突出した輪帯の数を削減して、伝送特性に影響を与えない同軸コネクタが求められている。
【００２５】
又、図７を参照すると、第１の従来技術によるプラグ８は、図示しない相手側コネクタ（例えば、ジャック）と着脱自在に接続できるが、相手側コネクタとの接続状態を維持することが困難であるという問題がある。プラグなどの端子組立体を保持すると共に、相手側コネクタとの接続状態を維持するロック機構付きの外部ハウジングを備えた同軸コネクタが求められている。
【００２６】
図８は、第２の従来技術による同軸コネクタの構成を示す斜視図である。図９は、図８のＡ−Ａ矢視断面図である。なお、本願の図８と図９は、特許文献２の図１Ａと図１Ｂに相当している。又、第１の従来技術で付した符号と同じ符号を有する構成品は、その作用を同じにするので、説明を省略することがある。
【００２７】
図８又図９を参照すると、第２の従来技術による同軸コネクタ（以下、プラグという）９は、導電性を有する筒状の外部コンタクト９１と筒状の中心コンタクト９２を備えている。又、プラグ９は、円筒状のインシュレータ（絶縁体）９３と導電性を有する筒状の金属スリーブ９４を備えている。
【００２８】
図９を参照すると、中心コンタクト９２は、テイル部９２ｔを基端部側に有している。又、中心コンタクト９２は、オープンエントリ形の接続部９２ｓを先端部側に有している。テイル部９２ｔは、同軸ケーブルＣｂの中心導体Ｗｃと電気的に接続している。接続部９２ｓには、図示しない相手側コンタクトと着脱自在に接続できる。
【００２９】
図９を参照すると、インシュレータ９３は、中心コンタクト９２を内部に保持している。インシュレータ９３は、中心コンタクト９２の中間部を抜け止め可能に保持している。インシュレータ９３は、円筒状のヘッダ９３ｈを先端部側に形成している。又、インシュレータ９３は、テイル部９２ｔを内部に保持した保持９３ｒを基端部側に有している。
【００３０】
図９を参照すると、外部コンタクト９１は、インシュレータ９３を内部に保持している。インシュレータ９３は、外部コンタクト９１と中心コンタクト９２を電気的に絶縁している。
【００３１】
図８又図９を参照すると、金属スリーブ９４は、第１鍔部９４１を先端部側に形成している。第１鍔部９４１の内部には、外部コンタクト９１が嵌合している。又、金属スリーブ９４は、その基端部側の内部に、端末処理した同軸ケーブルＣｂを保持している（図９参照）。
【００３２】
図８又図９を参照すると、金属スリーブ９４は、第２鍔部９４２を基端部に形成している。金属スリーブ９４は、第１鍔部９４１と第２鍔部９４２の間に、第１圧着部９４ａ、第２圧着部９４ｂ、非圧着部９４ｃを有している。
【００３３】
図９を参照すると、第１圧着部９４ａは、誘電体Ｄｉを介して、外部導体Ｗｂの周囲を圧着している。これにより、外部導体Ｗｂと金属スリーブ９４を電気的に接続している。第２圧着部９４ｂは、絶縁シースＷｉの周囲を圧着している。これにより、同軸ケーブルＣｂの端末にプラグ９を固定できる。
【００３４】
図９を参照すると、非圧着部９４ｃは、第１圧着部９４ａと第２圧着部９４ｂの間に形成されている。非圧着部９４ｃは、同軸ケーブルＣｂが挿通されているが、同軸ケーブルＣｂを圧着していない。
【００３５】
図８又図９を参照すると、第２の従来技術によるプラグ９は、第１圧着部９４ａと第２圧着部９４ｂの２カ所で同軸ケーブルＣｂを圧着しているので、同軸ケーブルの引っ張り強度を向上できる、としている。又、第２の従来技術によるプラグ９は、非圧着部９４ｃが同軸ケーブルＣｂを外周方向から圧着していないので、同軸ケーブルＣｂのインピーダンスが低下することを抑制できる、としている。
【００３６】
しかし、図８又図９を参照すると、第２の従来技術によるプラグ９は、第１圧着部９４ａと第２圧着部９４ｂの２カ所で同軸ケーブルＣｂを圧着しているので、組立工程が多いという問題がある。圧着工程を削減した簡易な構成の同軸コネクタが求められている。
【００３７】
又、図８又図９を参照すると、第２の従来技術によるプラグ９は、図示しない相手側コネクタ（例えば、ジャック）と着脱自在に接続できるが、相手側コネクタとの接続状態を維持することが困難であるという問題がある。プラグなどの端子組立体を確実に保持すると共に、相手側コネクタとの接続状態を維持するロック機構付きの外部ハウジングを備えた同軸コネクタが求められている。そして、以上のことが本発明の課題といってよい。
【００３８】
本発明は、このような課題に鑑みてなされたものであり、端子組立体を保持すると共に、相手側コネクタとの接続状態を維持するロック機構付きの外部ハウジングを備えた同軸コネクタであって、簡易な構成の同軸コネクタを提供することを目的とする。
【課題を解決するための手段】
【００３９】
本発明者らは、同軸ケーブルの端末に接続した端子組立体と、端子組立体を導入できる端子収容室を内部に有するロックアーム付きの外部ハウジングと、端子組立体を端子収容室の内部に係止するリテーナで同軸コネクタを構成し、外部コンタクトには、外周方向に突出した方形の輪帯を中間部に設け、端子収容室には、輪帯を抜け止めするハウジングランスを設け、リテーナには、輪帯を抜け止めする係止片を設けることで、部品点数を抑制し、伝送特性を向上した同軸コネクタを提供できると考え、これに基づいて、以下のような新たな同軸コネクタを発明するに至った。
【００４０】
（１）  中心導体、この中心導体を包囲する誘電体、この誘電体を覆う外部導体、及び、この外部導体を被覆する絶縁シースを有する同軸ケーブルの端末に接続した円筒状の端子組立体と、前記端子組立体を導入できる端子収容室を内部に有し、相手側外部ハウジングに係止自在なロックアームを有する外部ハウジングと、前記端子組立体を前記端子収容室の内部に係止するリテーナと、備え、前記端子組立体は、前記絶縁シースを剥離した同軸ケーブルの端末を内部に導入し、前記外部導体を圧着した金属スリーブと、前記中心導体を基端部に接続した中心コンタクトと、前記中心コンタクトを中心部に保持した円筒状のインシュレータと、前記インシュレータを内部に保持した円筒状の外部コンタクトと、を有し、前記外部コンタクトは、基端部側に形成し、前記外部導体と接続自在な外部導体接続部と、先端部側に形成し、相手側外部コンタクトと接続自在なコンタクト接続部と、中間部に形成し、外周方向に突出した方形の輪帯と、を有し、前記外部ハウジングは、前記端子収容室の奥壁に当接した前記輪帯を抜け止めするハウジングランスと、前記端子収容室に連通し、一方の面から他方の面に向けて貫通した一対の係止穴と、を有し、前記リテーナは、前記係止穴に挿入自在に二股に分岐した一対の係止爪片を有し、前記係止爪片は、前記リテーナを外部ハウジングに装着した状態で、前記輪帯の他方の面に当接して前記輪帯を抜け止めする係止片を有している、同軸コネクタ。
【００４１】
（２）  前記外部コンタクトは、前記外部導体接続部が前記外部導体と前記誘電体の間に挿入されている、１）記載の同軸コネクタ。
【００４２】
（３）  前記コンタクト接続部は、一つ以上の切り込みを外周に切り欠いたオープンエントリからなる、（１）又（２）記載の同軸コネクタ。
【発明の効果】
【００４３】
本発明による同軸コネクタは、同軸ケーブルの端末に接続した端子組立体と、端子組立体を導入できる端子収容室を内部に有するロック機構付きの外部ハウジングと、端子組立体を端子収容室の内部に係止するリテーナで同軸コネクタを構成し、外部コンタクトには、外周方向に突出した方形の輪帯を中間部に設け、端子収容室には、輪帯を抜け止めするハウジングランスを設け、リテーナには、輪帯を抜け止めする係止片を設けることで、部品点数を抑制し、伝送特性を向上できる。
【図面の簡単な説明】
【００４４】
【図１】本発明の一実施形態による同軸コネクタの構成を示す図であり、図１（Ａ）は、同軸コネクタの斜視図、図１（Ｂ）は、同軸コネクタの正面図、図１（Ｃ）は、図１（Ｂ）のＢ−Ｂ矢視断面図、図１（Ｄ）は、図１（Ｂ）のＣ−Ｃ矢視断面図である。
【図２】前記実施形態による同軸コネクタの構成を示す斜視分解組立図である。
【図３】前記実施形態による同軸コネクタに備わる端子組立体の構成を示す図であり、図３（Ａ）は、端子組立体の平面図、図３（Ｂ）は、端子組立体の左側面図、図３（Ｃ）は、図３（Ｂ）のＡ−Ａ矢視断面図、図３（Ｄ）は、端子組立体の斜視図である。
【図４】前記実施形態による同軸コネクタに備わる外部ハウジングの構成を示す図であり、図４（Ａ）は、外部ハウジングの正面図、図４（Ｂ）は、外部ハウジングの平面図、図４（Ｃ）は、外部ハウジングの右側面図、図４（Ｄ）は、外部ハウジングの左側面図である。
【図５】前記実施形態による同軸コネクタに備わる端子組立体の構成を示す斜視図であり、図５（Ａ）は、外部コンタクトにインシュレータを組み立てる前の状態図、図５（Ｂ）は、外部コンタクトにインシュレータを組み立てた状態図である。
【図６】前記実施形態による同軸コネクタに備わる端子組立体の組立工程を示す斜視図であり、図６（Ａ）は、同軸ケーブルを端末処理した状態図、図６（Ｂ）は、金属スリーブを同軸ケーブルに挿通した状態図、図６（Ｃ）は、同軸ケーブルの中心導体に中心コンタクトを圧着した状態図、図６（Ｄ）は、インシュレータの内部に中心コンタクトを組み込んだ状態図、図６（Ｅ）は、外部コンタクトに向かって金属スリーブを移動した状態図、図６（Ｆ）は、金属スリーブの軸部を同軸ケーブルの外部導体に圧着した状態図である。
【図７】第１の従来技術による同軸コネクタの構成を示す斜視図であり、同軸コネクタの中心を通る縦断面図で示している。
【図８】第２の従来技術による同軸コネクタの構成を示す斜視図である。
【図９】図８のＡ−Ａ矢視断面図である。
【発明を実施するための形態】
【００４５】
以下、図面を参照して本発明を実施するための形態を説明する。
［同軸コネクタの構成］
最初に、本発明の一実施形態による同軸コネクタの構成を説明する。
【００４６】
（全体構成）
図１又図２を参照すると、本発明の一実施形態による同軸コネクタ１０は、円筒状の端子組立体（以下、ジャックという）１、直方体状の外部ハウジング２、及び、絶縁性を有するリテーナ３を備えている。ジャック１は、同軸ケーブルＣｂの端末に接続している（図２又は図３参照）。
【００４７】
図１（Ｃ）又は図１（Ｄ）及び図４を参照すると、外部ハウジング２は、ジャック１を導入できる端子収容室２ｒを内部に有している。又、外部ハウジング２は、図示しない相手側外部ハウジングに係止自在なロックアーム２ａを上部に有している。リテーナ３は、ジャック１を端子収容室２ｒの内部に係止できる。
【００４８】
図１から図３を参照すると、ジャック１は、金属スリーブ１１と中心コンタクト１２を備えている。又、ジャック１は、円筒状のインシュレータ１３と円筒状の外部コンタクト１４を備えている。金属スリーブ１１は、絶縁シースＷｉを剥離した同軸ケーブルＣｂの端末を内部に導入し、外部導体Ｗｂを圧着できる。中心コンタクト１２は、その基端部を中心導体Ｗｃに接続している。
【００４９】
図１から図３を参照すると、インシュレータ１３は、中心コンタクト１２を中心部に保持している。外部コンタクト１４は、インシュレータ１３を内部に保持している。外部コンタクト１４は、外部導体接続部１４１、コンタクト接続部１４２、及び、方形の輪帯１４３を連続して形成している。
【００５０】
図１から図３を参照すると、外部導体接続部１４１は、外部コンタクト１４の基端部側に形成している。外部導体接続部１４１は、外部導体Ｗｂと誘電体Ｄｉの間に挿入されている。そして、金属スリーブ１１の軸部１１ｓを圧着することで、同軸ケーブルＣｂの端末にジャック１を固定でき、外部導体Ｗｂと外部コンタクト１４を電気的に接続できる。
【００５１】
図１から図３を参照すると、コンタクト接続部１４２は、外部コンタクト１４の先端部側に形成している。コンタクト接続部１４２は、図示しない相手側外部コンタクトと接続できる。コンタクト接続部１４２は、一つ以上の切り込みを外周に切り欠いたオープンエントリから構成しているが、コンタクト接続部１４２は、図８に示すように、切り込みの無い構成とすることもできる。輪帯１４３は、外部コンタクト１４の中間部に形成している。輪帯１４３は、外部コンタクト１４の外周方向に突出している。
【００５２】
一方、図１（Ｃ）を参照すると、外部ハウジング２は、ハウジングランス２１を底部に有している。図１（Ｃ）又は図１（Ｄ）を参照して、コンタクト接続部１４２を先頭に、ジャック１を端子収容室２ｒに挿入すると、輪帯１４３がハウジングランス２１の係止爪を押し下げることができる。輪帯１４３が端子収容室２ｒの奥壁に当接した状態では、ハウジングランス２１の係止爪が弾性復帰して、輪帯１４３を抜け止めできる。
【００５３】
又、図４（Ｂ）を参照すると、外部ハウジング２は、一対の係止穴２ｈ・２ｈを有している。一対の係止穴２ｈ・２ｈは、端子収容室２ｒに連通すると共に、外部ハウジング２の一方の面から他方の面に向けて貫通している。
【００５４】
一方、図２を参照すると、リテーナ３は、二股に分岐した一対の係止爪片３ｄ・３ｄを有している。一対の係止爪片３ｄ・３ｄは、外部ハウジング２の係止穴２ｈ・２ｈに挿入できる。図１（Ｄ）又は図２を参照して、係止爪片３ｄは、リテーナ３を外部ハウジング２に装着した状態で、輪帯１４３の他方の面に当接して、輪帯１４３を抜け止めする部分円弧状の係止片３１ｄを有している。
【００５５】
図１から図４を参照すると、実施形態による同軸コネクタ１０は、同軸ケーブルＣｂの端末に接続したジャック１と、ジャック１を導入できる端子収容室２ｒを内部に有するロックアーム２ａ付きの外部ハウジング２と、ジャック１を端子収容室２ｒの内部に係止するリテーナ３で同軸コネクタを構成し、外部コンタクト１４には、外周方向に突出した方形の輪帯１４３を中間部に設け、端子収容室２ｒには、輪帯１４３を抜け止めするハウジングランス２１を設け、リテーナ３には、輪帯１４３を抜け止めする係止片３１ｄを設けることで、部品点数を抑制し、伝送特性を向上できる。
【００５６】
（金属スリーブの構成）
次に、実施形態による金属スリーブ１１の構成を説明する。図１から図３を参照すると、金属スリーブ１１は、電導性を有する円筒状の金属部材からなることが好ましく、圧着可能な軸部１１ｓとフランジ部１１ｆを備えている。軸部１１ｓは、その外周方向から圧縮することで、外部導体接続部１４１を介して、同軸ケーブルＣｂの外部導体Ｗｂを圧着できる。
【００５７】
図１から図３を参照すると、フランジ部１１ｆは、軸部１１ｓの端部に形成している。フランジ部１１ｆは、端子収容室２ｒに嵌合できる（図１（Ｃ）又は図１（Ｄ）参照）。図３を参照して、外部コンタクト１４の基端部にフランジ部１１ｆを固定した状態で、フランジ部１１ｆを端子収容室２ｒの内部に導入すると（図１（Ｃ）又は図１（Ｄ）参照）、外部ハウジング２に対して、金属スリーブ１１の外周方への振れを抑制できる。
【００５８】
（中心コンタクトの構成）
次に、実施形態による中心コンタクト１２の構成を説明する。図３（Ｃ）又は図６（Ｃ）を参照すると、中心コンタクト１２は、導電性を有する金属筒からなることが好ましく、圧着部１２ｃを基端部に有している。同軸ケーブルＣｂの中心導体Ｗｃに、圧着部１２ｃを圧着することで、中心コンタクト１２と中心導体Ｗｃを電気的に接続できる。
【００５９】
図３（Ｃ）又は図６（Ｃ）を参照すると、実施形態による中心コンタクト１２は、筒状のいわゆる雌コンタクトで構成しているが、中心コンタクト１２は、ピン状のいわゆる雄コンタクトで構成することもできる。
【００６０】
（端子組立体の組立方法）
次に、実施形態によるジャック１の組立方法を説明する。最初に、図６（Ａ）を参照して、同軸ケーブルＣｂの端面から絶縁シースＷｉを所定の長さで剥離すると共に、誘電体Ｄｉの端面から外部導体Ｗｂを所定の長さで剥離し、誘電体Ｄｉの端面から中心導体Ｗｃを所定の長さで突出するように、中心導体Ｗｃを切断する（第１工程）。
【００６１】
次に、図６（Ｂ）を参照して、図６（Ａ）で示したように、端末処理した同軸ケーブルＣｂに、金属スリーブ１１を挿通しておく。この場合、金属スリーブ１１は、同軸ケーブルＣｂの絶縁シースＷｉ側に移動しておくことが好ましく、金属スリーブ１１のフランジ部１１ｆが中心導体Ｗｃ側に向くように配置しておく（第２工程）。
【００６２】
次に、図６（Ｃ）を参照して、同軸ケーブルＣｂの中心導体Ｗｃに、圧着部１２ｃを圧着して、中心コンタクト１２を中心導体Ｗｃに固定する（第３工程）。次に、図５（Ａ）を参照して、インシュレータ１３を外部コンタクト１４の内部に組み込んだ状態で（図５（Ｂ）参照）、図６（Ｄ）を参照して、外部コンタクト１４の背後からインシュレータ１３の内部に、中心コンタクト１２を挿入する（第４工程）。
【００６３】
図６（Ｄ）に示した状態から、中心コンタクト１２をインシュレータ１３の内部に更に挿入すると共に、外部導体Ｗｂと絶縁シースＷｉの間に外部導体接続部１４１を挿入しておく（第５工程）。次に、金属スリーブ１１を外部コンタクト１４に向かって移動し、図６（Ｅ）に示すように、外部コンタクト１４と外部導体接続部１４１の段差にフランジ部１１ｆを突き当てる（第６工程）。
【００６４】
次に、図６（Ｅ）に示した状態から、図６（Ｆ）に示すように、金属スリーブ１１の軸部１１ｓを外周方向から圧縮する（第７工程）。そして、一連の組立工程を終了する。図６（Ｆ）に示した状態では、外部導体接続部１４１を介して、同軸ケーブルＣｂの外部導体Ｗｂを圧着している（図３（Ｃ）参照）。
【００６５】
［同軸コネクタの作用］
次に、実施形態による同軸コネクタ１０の作用及び効果を説明する。
【００６６】
図１又は図２を参照すると、実施形態による同軸コネクタ１０は、相手側コネクタとの接続状態を維持するロックアーム２ａ付きの外部ハウジング２を備えているので、ジャック１と図示しないプラグなどの端子組立体との接続状態を確実に維持できる。
【００６７】
又、図１から図６を参照すると、外部コンタクト１４には、外周方向に突出した方形の輪帯１４３を中間部に設け、端子収容室２ｒには、輪帯１４３を抜け止めするハウジングランス２１を設け、リテーナ３には、輪帯１４３を抜け止めする係止片３１ｄを設けることで、従来技術と比べて、実施形態による同軸コネクタ１０は、端子組立体部品点数を抑制し、輪帯の数を削減することで伝送特性を向上できる。
【００６８】
又、図１から図３を参照して、実施形態による同軸コネクタ１０は、外部コンタクト１４の外周に形成される輪帯の数を削減することで、外部コンタクト１４の製造が容易になるというメリットがある。
【符号の説明】
【００６９】
１  ジャック（端子組立体）
２  外部ハウジング
２ａ  ロックアーム
２ｈ・２ｈ  一対の係止穴
２ｒ  端子収容室
３  リテーナ
３ｄ・３ｄ  一対の係止爪片
１０  同軸コネクタ
１１  金属スリーブ
１２  中心コンタクト
１３  インシュレータ
１４  外部コンタクト
２１  ハウジングランス
３１ｄ・３１ｄ  一対の係止片
１４１  外部導体接続部
１４２  コンタクト接続部
１４３  輪帯
Ｃｂ  同軸ケーブル
Ｄｉ  誘電体
Ｗｂ  外部導体
Ｗｃ  中心導体
Ｗｉ  絶縁シース
【図１】
2019153464.tif 000003
【図２】
2019153464.tif 000004
【図３】
2019153464.tif 000005
【図４】
2019153464.tif 000006
【図５】
2019153464.tif 000007
【図６】
2019153464.tif 000008
【図７】
2019153464.tif 000009
【図８】
2019153464.tif 000010
【図９】
2019153464.tif 000011